(57)【要約】【課題】制御基板と電源基板とが個別の照明装置においても、適切な照明制御を提供すること。【解決手段】実施形態の一例に係る制御装置は、照明装置に対する制御を示す制御信号を照明制御装置から受信する受信部と；光源に供給する電力を調光信号とに応じて制御する電力制御装置に対し、前記制御信号に応じた調光信号を送信する送信部と；前記電力制御装置に対して前記調光信号が送信されてから新たな調光信号が送信されるまでの間に、前記電力制御装置が有する揮発性の記憶領域に登録される設定情報に関する通信を前記電力制御装置との間で実行する通信制御部と；を備えることを特徴とする。【選択図】図１
2019175580.tif 000002
【特許請求の範囲】
【請求項１】
照明装置に対する制御を示す制御信号を照明制御装置から受信する受信部と；
光源に供給する電力を調光信号に応じて制御する電力制御装置に対し、前記制御信号に応じた調光信号を送信する送信部と；
前記電力制御装置に対して前記調光信号が送信されてから新たな調光信号が送信されるまでの間に、前記電力制御装置が有する揮発性の記憶領域に記憶される設定情報に関する通信を前記電力制御装置との間で実行する通信制御部と；
を備えることを特徴とする制御装置。
【請求項２】
前記通信制御部は、前記設定情報として、前記電力制御装置が前記光源に供給する電力を制御する際の制御態様を示すパラメータに関する通信を、前記電力制御装置との間で実行する
ことを特徴とする請求項１に記載の制御装置。
【請求項３】
前記送信部は、前記光源の点灯強度を示す調光信号を送信し、
前記通信制御部は、前記光源の点灯強度を前記調光信号が示す点灯強度まで変化させる際の変化態様を示すパラメータに関する通信を、前記電力制御装置との間で実行する
ことを特徴とする請求項２に記載の制御装置。
【請求項４】
前記送信部は、前記照明制御装置から定周期で送信される前記制御信号の受信が完了する度に、前記調光信号を送信する
ことを特徴とする請求項１〜３のうちいずれか１つに記載の制御装置。
【請求項５】
前記通信制御部は、前記調光信号の送信が完了した際に、前記設定情報の送信を要求する信号を前記電力制御装置に送信する
ことを特徴とする請求項１〜４のうちいずれか１つに記載の制御装置。
【請求項６】
前記制御装置は、
不揮発性の記憶領域に前記設定情報を保持する記憶部；
をさらに備え、
前記通信制御部は、前記電力制御装置から受信した設定情報と前記記憶部に保持された設定情報とが一致しなかった場合は、新たな調光信号の送信が完了した際に、前記記憶部に保持された設定情報を前記電力制御装置に送信する
ことを特徴とする請求項５に記載の制御装置。
【請求項７】
前記受信部は、前記設定情報の設定を行う信号を前記照明制御装置から受信し、
前記通信制御部は、前記設定情報の設定を行う信号の受信が完了した後であって、新たな調光信号の送信が完了した際に、前記設定情報の設定を行う信号が示す設定情報を前記電力制御装置に送信する
ことを特徴とする請求項１〜６のうちいずれか１つに記載の制御装置。
【請求項８】
前記制御装置は、
不揮発性の記憶領域に前記設定情報を保持する記憶部；
をさらに備え、
前記通信制御部は、前記電力制御装置に対する電力の供給が開示された場合は、前記記憶部に保持された設定情報を前記電力制御装置に送信する
ことを特徴とする請求項１〜７のうちいずれか１つに記載の制御装置。
【請求項９】
前記通信制御部は、前記電力制御装置が保持する設定情報の送信を要求する信号、または、前記電力制御装置に保持させる設定情報を送信する信号を送信してから所定の時間が経過するまでの間に、前記電力制御装置から応答を受信しなかった場合は、新たな調光信号の送信が完了した際に、信号の再送信を行う
ことを特徴とする請求項１〜８のうちいずれか１つに記載の制御装置。
【請求項１０】
前記送信部は、複数の前記電力制御装置に対して、前記調光信号を一括で送信し、
前記通信制御部は、前記調光信号の送信が完了してから、新たな調光信号が送信されるまでの間に、各電力制御装置との間で前記設定情報に関する通信を順番に実行する
ことを特徴とする請求項１〜９のうちいずれか１つに記載の制御装置。
【請求項１１】
前記通信制御部は、第１の電力制御装置から前記設定情報に関する通信に対する応答の受信を完了した後で、第２電力制御装置との通信を開始する
ことを特徴とする請求項１０に記載の制御装置。
【請求項１２】
前記通信制御部は、複数の前記電力制御装置のうち、一部の電力制御装置に対して新たな設定情報の設定を行う場合は、当該一部の電力制御装置に対して新たな設定情報を順番に送信する
ことを特徴とする請求項１０または１１に記載の制御装置。
【請求項１３】
前記通信制御部は、複数の前記電力制御装置のうち、一部の電力制御装置に対して新たな設定情報の設定を行う場合は、複数の電力制御装置の全てに対して新たな設定情報を順番に送信する
ことを特徴とする請求項１０または１１に記載の制御装置。
【請求項１４】
前記送信部は、前記制御信号が受信されなくなってから所定の時間が経過した場合は、前記電力制御装置に対して所定の調光信号を定期的に送信し、
前記通信制御部は、前記送信部が前記調光信号の送信を完了する度に、前記設定情報に関する通信を前記電力制御装置との間で実行する
ことを特徴とする請求項１〜１３のうちいずれか１つに記載の制御装置。
【請求項１５】
前記光源と；
前記電力制御装置と；
請求項１〜１４のいずれか１つに記載の制御装置と；
を備えることを特徴とする照明装置。
【請求項１６】
制御装置が実行する制御方法であって、
照明装置に対する制御を示す制御信号を照明制御装置から受信し；
光源に供給する電力を調光信号とに応じて制御する電力制御装置に対し、前記制御信号に応じた調光信号を送信し；
前記電力制御装置に対して前記調光信号が送信されてから新たな調光信号が送信されるまでの間に、前記電力制御装置が有する揮発性の記憶領域に登録される設定情報に関する通信を前記電力制御装置との間で実行する；
処理を含むことを特徴とする制御方法。
【発明の詳細な説明】
【技術分野】
【０００１】
本発明の実施形態は、制御装置、照明装置および制御方法に関する。
【背景技術】
【０００２】
従来、スタジオや舞台等では、複数の照明装置により照明演出がなされている。このような照明演出を行う照明制御システムとして、ＤＭＸ５１２（以下「ＤＭＸ」と記載する。）と呼ばれる規格に従って、各照明装置を制御する手法が知られている。
【先行技術文献】
【特許文献】
【０００３】
【特許文献１】特願２０１６−０２４６８９号公報
【発明の概要】
【発明が解決しようとする課題】
【０００４】
上述した照明制御システムにおける照明装置として、ハロゲンやＬＥＤ（Light  Emitting  Diodes）等の光源に対して電力を供給する電源基板と、各照明装置を制御する照明制御装置（所謂、制御卓）からのＤＭＸ信号に従って、電源基板が光源に供給する電力を制御する制御基板とを有する照明装置が知られている。このような照明装置の制御基板は、照明制御装置からＤＭＸ信号を受信すると、ＤＭＸ信号が示す態様で光源を点灯させるための調光信号を電源基板へと伝達する。そして、電源基板は、調光信号に従って、光源へと供給する電力を制御する。
【０００５】
また、照明装置には、照明態様に関する各種のパラメータが設定される場合がある。例えば、照明装置には、ある照明態様で光源を点灯させるように指示された場合に、現在の照明態様から指示された照明態様へと徐々に変化させるか否か、現在の照明態様を何秒かけて指示された照明態様へと変化させるかといったパラメータが指定される場合がある。このようなパラメータが指定された場合、電源基板がパラメータを保持し、制御基板から受信した調光信号に従って、パラメータを考慮した光源の制御を実現することとなる。
【０００６】
しかしながら、制御基板とは個別の電源基板側にパラメータを保持させた場合、適切な照明制御を行うことができない恐れがある。一般に、電源基板側には、製造コストを考慮して揮発性の記憶装置が設置される場合が多い。しかしながら、このような揮発性の記憶装置にパラメータを保持させた場合、何らかの障害により電源基板のみが再起動すると、パラメータが消去されてしまう。
【０００７】
本発明が解決しようとする課題は、制御基板と電源基板とが個別の照明装置においても、適切な照明制御を提供することである。
【課題を解決するための手段】
【０００８】
実施形態の一例に係る制御装置は、照明装置に対する制御を示す制御信号を照明制御装置から受信する受信部と；光源に供給する電力を調光信号とに応じて制御する電力制御装置に対し、前記制御信号に応じた調光信号を送信する送信部と；前記電力制御装置に対して前記調光信号が送信されてから新たな調光信号が送信されるまでの間に、前記電力制御装置が有する揮発性の記憶領域に登録される設定情報に関する通信を前記電力制御装置との間で実行する通信制御部と；を備えることを特徴とする。
【発明の効果】
【０００９】
実施形態の一例に係る制御装置によれば、制御基板と電源基板とが個別の照明装置においても、適切な照明制御を実現できる。
【図面の簡単な説明】
【００１０】
【図１】図１は、実施形態に係る照明装置が有する機能構成の一例を説明する図である。
【図２】図２は、実施形態に係る照明装置が有する機能構成のバリエーションを説明する図である。
【図３】図３は、実施形態に係る制御基板が通常時に信号を送受信するタイミングの一例を示す図である。
【図４】図４は、実施形態に係る制御基板が通常時に複数の電源基板と信号を送受信するタイミングの一例を示す図である。
【図５】図５は、実施形態に係る制御基板が設定情報の設定時に信号を送受信するタイミングの一例を示す図である。
【図６】図６は、実施形態に係る制御基板が設定情報の設定時に複数の電源基板と信号を送受信するタイミングの一例を示す図である。
【図７】図７は、実施形態に係る制御基板が電源投入時に信号を送受信するタイミングの一例を示す図である。
【図８】図８は、実施形態に係る制御基板が電源投入時に複数の電源基板と信号を送受信するタイミングの一例を示す図である。
【図９】図９は、実施形態に係る制御基板が要求信号のタイムアウトが発生した場合に信号を送受信するタイミングの一例を示す図である。
【図１０】図１０は、実施形態に係る制御基板が設定信号のタイムアウトが発生した場合に信号を送受信するタイミングの一例を示す図である。
【図１１】図１１は、実施形態に係る制御基板が複数の電源基板と通信する際に要求信号のタイムアウトが発生した場合に信号を送受信するタイミングの一例を示す図である。
【図１２】図１２は、実施形態に係る制御基板が複数の電源基板と通信する際に設定信号のタイムアウトが発生した場合に信号を送受信するタイミングの一例を示す図である。
【図１３】図１３は、実施形態に係る制御基板が制御信号が途切れた場合に信号を送受信するタイミングの一例を示す図である。
【発明を実施するための形態】
【００１１】
以下、図面を参照して、実施形態に係る制御装置、照明装置および制御方法を説明する。実施形態において同一の機能を有する構成には同一の符号を付し、重複する説明は省略する。なお、以下の実施形態で説明する制御装置、照明装置および制御方法は、一例を示すに過ぎず、実施形態を限定するものではない。例えば、以下の実施形態では、制御装置、照明装置および制御方法は、任意のシステムに適用することができる。なお、以下の各実施形態は、矛盾しない範囲内で適宜組みあわせてもよい。
【００１２】
以下の実施形態に係る制御装置（例えば、制御基板３０）は、受信部（例えば、ＤＭＸ通信部３１）と、送信部（例えば、照明制御部３４）と、通信制御部３５とを備える。受信部は、照明装置１００に対する制御を示す制御信号を照明制御装置ＣＴから受信する。送信部は、光源（例えば、光源部２０）に供給する電力を調光信号とに応じて制御する電力制御装置（例えば、電源基板１０）に対し、制御信号に応じた調光信号を送信する。通信制御部３５は、電力制御装置に対して調光信号が送信されてから新たな調光信号が送信されるまでの間に、電力制御装置が有する揮発性の記憶領域（例えば、保持部１３）に記憶される設定情報に関する通信を電力制御装置との間で実行する。
【００１３】
また、以下の実施形態に係る制御装置は、設定情報として、電力制御装置が光源に供給する電力を制御する際の制御態様を示すパラメータ（例えば、制御パラメータ）に関する通信を、電力制御装置との間で実行する。
【００１４】
また、以下の実施形態に係る制御装置は、光源の点灯強度を示す調光信号を送信し、光源の点灯強度を調光信号が示す点灯強度まで変化させる際の変化態様を示すパラメータに関する通信を、電力制御装置との間で実行する。
【００１５】
また、以下の実施形態に係る制御装置は、照明制御装置ＣＴから定周期で送信される制御信号の受信が完了する度に、調光信号を送信する。
【００１６】
また、以下の実施形態に係る制御装置は、調光信号の送信が完了した際に、設定情報の送信を要求する信号を電力制御装置に送信する。
【００１７】
また、以下の実施形態に係る制御装置は、不揮発性の記憶領域に設定情報を保持する記憶部３６をさらに備え、電力制御装置から受信した設定情報と記憶部に保持された設定情報とが一致しなかった場合は、新たな調光信号の送信が完了した際に、記憶部３６に保持された設定情報を電力制御装置に送信する。
【００１８】
また、以下の実施形態に係る制御装置は、設定情報の設定を行う信号を照明制御装置ＣＴから受信し、設定情報の設定を行う信号の受信が完了した後であって、新たな調光信号の送信が完了した際に、設定情報の設定を行う信号が示す設定情報を電力制御装置に送信する。
【００１９】
また、以下の実施形態に係る制御装置は、電力制御装置に対する電力の供給が開示された場合は、記憶部３６に保持された設定情報を電力制御装置に送信する。
【００２０】
また、以下の実施形態に係る制御装置は、電力制御装置が保持する設定情報の送信を要求する信号、または、電力制御装置に保持させる設定情報を送信する信号を送信してから所定の時間が経過するまでの間に、電力制御装置から応答を受信しなかった場合は、新たな調光信号の送信が完了した際に、信号の再送信を行う。
【００２１】
また、以下の実施形態に係る制御装置は、複数の電力制御装置に対して、調光信号を一括で送信し、調光信号の送信が完了してから、新たな調光信号が送信されるまでの間に、各電力制御装置との間で設定情報に関する通信を順番に実行する。
【００２２】
また、以下の実施形態に係る制御装置は、第１の電力制御装置から設定情報に関する通信に対する応答の受信を完了した後で、第２電力制御装置との通信を開始する。
【００２３】
また、以下の実施形態に係る制御装置は、複数の電力制御装置のうち、一部の電力制御装置に対して新たな設定情報の設定を行う場合は、その一部の電力制御装置に対して新たな設定情報を順番に送信する。
【００２４】
また、以下の実施形態に係る制御装置は、複数の電力制御装置のうち、一部の電力制御装置に対して新たな設定情報の設定を行う場合は、複数の電力制御装置の全てに対して新たな設定情報を順番に送信する。
【００２５】
また、以下の実施形態に係る制御装置は、制御信号が受信されなくなってから所定の時間が経過した場合は、電力制御装置に対して所定の調光信号を定期的に送信し、送信部が調光信号の送信を完了する度に、設定情報に関する通信を電力制御装置との間で実行する。
【００２６】
また、以下の実施形態に係る照明装置１００は、光源（例えば、光源部２０）と、電力制御装置（例えば、電源基板１０）と、上述したいずれかの制御装置（例えば、制御基板３０）とを備える。
【００２７】
［実施形態］
（制御装置の概要）
以下、図１を用いて、制御装置の一例である制御基板３０を有する照明装置１００の一例について説明する。図１は、実施形態に係る照明装置が有する機能構成の一例を説明する図である。
【００２８】
ここで、図１に示す照明装置１００は、照明制御装置ＣＴから送信される制御信号に従って、光源から出力する光の照明態様を制御可能な照明装置である。例えば、照明装置１００は、舞台や各種施設等に設置されたダウンライト、スポットライト、若しくはフラッドライト等の照明装置であり、照明制御装置ＣＴから送信されるＤＭＸ規格に準じたＤＭＸ信号に従って、光源から出力する光の強度や色を制御することができる。なお、照明装置１００は、これに限定されるものではない。
【００２９】
まず、図１を用いて、照明装置１００が有する機能構成の一例について説明する。図１に示す例では、照明装置１００は、電源基板１０、光源部２０、制御基板３０、およびシリアル通信路４０を有する。
【００３０】
このように、照明装置１００は、光源である光源部２０に対して供給する電力を制御する電源基板１０と、ＤＭＸ信号に従って電源基板１０に対する制御を行う制御基板３０とが物理的に異なる状態で搭載される。このように、電源基板１０と制御基板３０とを物理的に異なる構成とすることで、照明装置１００は、電源基板１０若しくは制御基板３０のいずれかに障害が発生した場合や、いずれか一方の使用期間が寿命に到達した場合に、電源基板１０や制御基板３０をそれぞれ個別に交換することができる。
【００３１】
ここで、電源基板１０と制御基板３０との間は、シリアル通信により通信を行うことができる。例えば、電源基板１０と制御基板３０との間は、シリアル通信路４０により接続されており、シリアル通信を用いて相互に通信可能である。また、制御基板３０と照明装置装置ＣＴとの間は、ＤＭＸ規格若しくはＲＤＭ規格に沿った通信を行うことが可能である。なお、シリアル通信としては、ＲＳ−２３２ＣやＩＩＣ等、任意のプロトコルが採用可能である。
【００３２】
電源基板１０は、シリアル通信部１１、電力制御部１２、および保持部１３を有し、系統電源ＣＰからの電力を光源部２０に伝達することで、光源部２０の制御を行う。例えば、シリアル通信部１１は、例えば、ＳＣＩ（Serial  Communication  Interface）であり、シリアル通信路４０を介して、制御基板３０との間でシリアル通信を行う。より具体的には、シリアル通信部１１は、制御基板３０から光源部２０を点灯させる際の強度（以下、「点灯強度」と記載する。）や色を示す調光信号を受信すると、受信した調光信号を電力制御部１２に伝達する。
【００３３】
また、シリアル通信部１１は、制御基板３０から保持部１３に保持された情報の送信を要求する要求信号を受信する。このような場合、シリアル通信部１１は、要求信号に対する応答として、保持部１３に保持された情報を含む要求返信信号を制御基板３０に送信する。例えば、シリアル通信部１１は、保持部１３に設定情報として制御パラメータが保持されている場合、制御パラメータの値を示す要求返信信号を制御基板３０に送信する。
【００３４】
また、シリアル通信部１１は、制御基板３０から保持部１３に保持される設定情報の設定を要求する設定信号を受信する。このような場合、シリアル通信部１１は、設定信号が示す設定情報の値を保持部１３に保持させる。例えば、シリアル通信部１１は、設定信号が新たな制御パラメータの値を示す場合は、保持部１３に保持されている制御パラメータを新たな制御パラメータに更新する。そして、シリアル通信部１１は、設定信号に対する応答として、設定情報を更新した旨を示す設定返信信号を制御基板３０に送信する。
【００３５】
電力制御部１２は、調光信号に従って光源部２０を制御する。より具体的には、電力制御部１２は、保持部１３が保持する制御パラメータに従って、光源部２０の照明態様を調光信号が示す照明態様に変化させる。
【００３６】
以下、電力制御部１２が光源部２０の照明態様を制御する処理の一例について説明する。例えば、電力制御部１２は、系統電源ＣＰから供給される電力をＰＷＭ（Pulse  Width  Modulation）信号に変換し、ＰＷＭ信号を光源部２０に対して供給することで、光源部２０が点灯する光の強度を制御する機能を有する。このような、電力制御部１２は、シリアル通信部１１が受信した調光信号を受付けると、調光信号が示す点灯強度や色を特定する。そして、電力制御部１２は、光源部２０が出力する光が特定した点灯強度や色となるように、光源部２０に対して供給するＰＷＭ信号を変更することで、光源部２０の照明態様を調光信号が示す照明態様に変化させる。
【００３７】
例えば、光源部２０は、ＬＥＤ（Light  Emitting  Diode）等の半導体発光素子、蛍光灯、又はハロゲンランプ等の電球を光源とし、所定の施設内に設置され、所定の施設内を所定の照明態様で照明可能な光源である。そして、光源部２０は、電力制御部１２から供給されるＰＷＭ信号を用いて、光源を点灯させる。
【００３８】
このような光源部２０の点灯強度を制御する場合、電力制御部１２は、光源部２０に対して供給するＰＷＭ信号のデューティー比を変化させることで、光源の点灯強度を制御することができる。また、例えば、光源部２０は、異なる色の光を出力可能な複数の光源が設置されている場合がある。このような光源部２０が出力する光の色を制御する場合、電力制御部１２は、各光源から出力される光の強度を変更することで、光源部２０全体から出力される光の色を制御することができる。
【００３９】
ここで、電力制御部１２は、光源部２０の照明態様を変化させる場合、保持部１３に保持された制御パラメータの値に従って、光源部２０の照明態様を変化させる。例えば、保持部１３は、光源部２０の照明態様を変化させる際に、どれくらいの期間をかけて照明態様を変化させるかを示す制御パラメータを保持する。このような制御パラメータが保持されている場合、電力制御部１２は、制御パラメータが示す期間内に、光源部２０の照明態様を調光信号が示す照明態様へと変化させる。
【００４０】
例えば、照明装置１００がＤＭＸ規格に沿った照明制御を行う場合、電力制御部１２は、レベル０からレベル５１１までの５１２段階で、光源部２０が出力する光の強度を制御させる。ここで、電力制御部１２は、現在の光源部２０が出力する光の強度が「レベル４０」であり、新たな調光信号が示す光の強度が「レベル２５０」である場合、制御パラメータが示す時間内に、光源部２０が出力する光の強度を「レベル４０」から「レベル２５０」へと徐々に上昇させる。例えば、電力制御部１２は、制御パラメータが「１秒」を示す場合は、光源部２０が出力する光の強度を「レベル４０」から「レベル２５０」へと「１秒」間かけて徐々に上昇させる。また、電力制御部１２は、制御パラメータが「０秒」を示す場合は、光源部２０が出力する光の強度を「レベル４０」から「レベル２５０」へと瞬時に上昇させる。
【００４１】
ここで、制御パラメータを保持する保持部１３は、コスト削減のため、揮発性の記憶装置が採用される場合が多い。しかしながら、このような制御パラメータを保持する保持部１３が揮発性の記憶装置により実現される場合、照明装置１００は、適切な対応で照明制御を実現できなくなる恐れがある。
【００４２】
例えば、電源基板１０は、上述したように、シリアル通信路４０を介して電源基板１０とは個別に構成される制御基板３０からの調光信号を受信し、受信した調光信号と保持部１３に保持された制御パラメータとに従って光源部２０を制御する。ここで、電源基板１０のみが何らかの障害により再起動された場合等には、保持部１３が保持する制御パラメータが消失してしまう。しかしながら、制御基板３０は、電源基板１０とは個別に構成されているため、制御パラメータの消失を識別することなく調光信号を電源基板１０へと送信する。この結果、電源基板１０は、意図しない態様で光源部２０の照明態様を変化させる恐れがある。より具体的には、電源基板１０は、徐々に照明態様を変化させるべきところ、照明態様を瞬時に変化させてしまう恐れがある。
【００４３】
そこで、制御基板３０は、以下の制御処理を実行する。まず、制御基板３０は、照明装置１００に対する制御を示す制御信号を照明制御装置ＣＴから受信する。続いて、制御基板３０は、電源基板１０に対し、制御信号に応じた調光信号を送信する。そして、制御基板３０は、電源基板１０に対して調光信号が送信されてから新たな調光信号が送信されるまでの間に、電源基板１０が有する揮発性の記憶領域に記憶される設定情報に関する通信を電源基板１０との間で実行する。
【００４４】
以下、制御基板３０が有する機能構成の一例について説明する。例えば、制御基板３０は、ＤＭＸ通信部３１、シリアル通信部３２、制御部３３、および記憶部３６を有する。
【００４５】
ここで、記憶部３６は、制御パラメータと機器情報とを記憶する記憶装置である。より具体的には、記憶部３６は、ＨＤＤ（Hard  Disk  Drive）、ＳＳＤ（Solid  State  Drive）、フラッシュメモリ、ＲＡＭ（Random  Access  Memory）等の記憶装置により実現される。また、記憶部３６は、不揮発性の記憶領域を有し、不揮発性の記憶領域に制御パラメータや機器情報を登録する。
【００４６】
ここで、記憶部３６が記憶する制御パラメータとは、電源基板１０が保持する制御パラメータと同様に、照明態様を変化させる際の態様を示すパラメータである。また、記憶部３６が記憶する機器情報とは、照明装置１００に関する各種の情報であり、ＤＭＸ規格やＲＤＭ規格に沿って照明制御装置ＣＴが読出しおよび設定を行うことができる情報である。
【００４７】
例えば、機器情報には、製造会社名、機器型番、ＵＩＤ（Unique  Identifier）、ユニバース、ＤＭＸアドレス、点灯時間、通電時間、質量、パーソナリティー設定といった情報が含まれる。ここで、製造会社名とは、照明装置１００の製造会社名である。また、機器型番とは、照明装置１００の型番である。また、ＵＩＤとは、ＤＭＸ規格で用いられる装置ごとに一意の番号であり、１２桁の１６進数で表される情報である。また、ユニバースとは、ＤＭＸのデータリンクを識別する情報であり、例えば「１」といった値が設定される。また、ＤＭＸアドレスとは、ＤＭＸのデータリンク上におけるアドレスである。また、点灯時間とは、照明装置１００が有する光源を点灯させた時間を示す情報である。また、通電時間とは、照明装置１００に電力が供給された時間を示す情報である。また、質量とは、照明装置１００の質量を示す情報である。また、パーソナリティー設定とは、照明装置１００の動作のモードを示す情報である。
【００４８】
ＤＭＸ通信部３１は、照明装置１００に対する制御を示す制御信号を照明制御装置ＣＴから受信する。より具体的には、ＤＭＸ通信部３１は、ＤＭＸ規格に沿った各種の通信を照明制御装置ＣＴとの間で行う。例えば、ＤＭＸ通信部３１は、照明制御装置ＣＴからＤＭＸ規格に沿った制御信号を受信すると、受信した制御信号を制御部３３に提供する。
【００４９】
また、ＤＭＸ通信部３１は、ＲＤＭ規格に沿った各種の通信を照明制御装置ＣＴとの間で行う。例えば、ＤＭＸ通信部３１は、機器情報の読出しを要求する信号を受信した場合は、記憶部３６に記憶されている機器情報を読出し、読出した機器情報を示す信号を照明制御装置ＣＴへと送信する。また、ＤＭＸ通信部３１は、機器情報の設定を要求する信号を受信した場合は、記憶部３６が記憶する機器情報を受信した信号が示す機器情報へと更新する。
【００５０】
また、ＤＭＸ通信部３１は、制御パラメータの読出しを要求する信号を受信した場合は、記憶部３６に記憶されている制御パラメータを読出し、読み出した制御パラメータを示す信号を照明制御装置ＣＴへと送信する。また、ＤＭＸ通信部３１は、制御パラメータの設定を要求する信号を受信した場合は、記憶部３６が記憶する制御パラメータを受信した信号が示す制御パラメータへと更新する。すなわち、ＤＭＸ通信部３１は、設定情報の設定を行う設定信号を照明制御装置ＣＴから受信すると、受信した信号が示す設定情報を記憶部３６に登録する。
【００５１】
シリアル通信部３２は、例えば、ＳＣＩであり、シリアル通信路４０を介して、電源基板１０との間でシリアル通信を行う。例えば、シリアル通信部３２は、制御部３３からの制御に従って、要求信号や設定信号を電源基板１０に送信するとともに、要求返信信号や設定返信信号を受信する。そして、シリアル通信部３２は、受信した要求返信信号や設定返信信号を制御部３３に提供する。
【００５２】
制御部３３は、ＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等の集積回路により、制御基板３０の記憶装置に記憶されている各種プログラムがＲＡＭ等を作業領域として実行されることにより実現される。なお、制御部３３は、以下に説明する制御処理を実現する各種の回路により実現されてもよい。
【００５３】
制御部３３は、照明制御部３４、および通信制御部３５を有する。照明制御部３４は、照明制御装置ＣＴから受信した制御信号に従って、光源部２０の照明態様を制御する。例えば、照明制御部３４は、ＤＭＸ規格に沿った制御信号を受信すると、受信した制御信号に含まれるＤＭＸアドレスと、記憶部３６に機器情報として登録されたＤＭＸアドレスとが同一であるか否かに基づいて、照明装置１００に対する操作を示す制御信号であるか否かを判定する。
【００５４】
そして、照明制御部３４は、照明装置１００に対する操作であると判定した場合、すなわち、ＤＭＸアドレスが同一である場合は、制御信号が示す制御内容を特定する。より具体的には、照明制御部３４は、光源部２０の点灯強度や出力する光の色等を特定する。そして、照明制御部３４は、特定した点灯強度や出力する光の色を示す調光信号を生成し、シリアル通信部３２を介して、生成した調光信号を電源基板１０へと送信する。すなわち、照明制御部３４は、光源に供給する電力を調光信号とに応じて制御する電力基板１０に対し、制御信号に応じた調光信号を送信する。
【００５５】
ここで、照明制御部３４は、制御信号の受信を完了したことを契機として、調光信号を電源基板１０へと送信する。また、照明制御装置ＣＴは、定期的（例えば、２６ミリ秒周期）に制御信号を送信する場合がある。このような場合、照明制御部３４は、定期的に送信される制御信号の受信が完了する度に、調光信号の送信を行う。
【００５６】
ここで、照明制御装置ＣＴが定期的に制御信号を送信する場合、前回の制御信号を受信してから所定の期間（例えば、１秒）が経過した場合は、照明制御装置ＣＴ若しくは照明制御装置ＣＴと照明装置１００との間の通信経路に障害が発生した可能性が高い。そこで、照明制御部３４は、制御信号が受信されなくなってから所定の時間が経過した場合は、電源基板に対して所定の調光信号を定期的に送信する。例えば、照明制御部３４は、最も高い点灯強度を示す調光信号を生成し、生成した調光信号を定期的に電源基板１０へと送信する。
【００５７】
通信制御部３５は、調光信号が送信されてから新たな調光信号が送信されるまでの間に、電源基板１０が有する揮発性の記憶領域に登録される設定情報に関する通信を電源基板１０との間で実行する。例えば、通信制御部３５は、設定情報として、電源基板１０が光源に供給する電力を制御する際の制御態様を示すパラメータに関する通信を、電源基板１０との間で実行する。より具体的には、通信制御部３５は、光源の点灯強度を調光信号が示す点灯強度まで変化させる際の変化態様を示すパラメータに関する通信を、電源基板１０との間で実行する。
【００５８】
例えば、通信制御部３５は、調光信号の送信が完了した際に、設定情報の送信を要求する信号、すなわち、要求信号を電源基板１０に送信する。すなわち、通信制御部３５は、照明制御部３４が調光信号を電源基板１０に送信する度に、電源基板１０に対して、揮発性の記憶領域である保持部１３に保持された制御パラメータの送信を要求する。そして、通信制御部３５は、電源基板１０から、要求信号に対する応答である要求返信信号を受信した場合は、要求返信信号が示す制御パラメータの値と、記憶部３６に登録された制御パラメータの値とを比較し、各制御パラメータの値が一致するか否かを判定する。そして、通信制御部３５は、制御パラメータの値が一致した場合は、新たな調光信号が出力されるまで待機し、新たな調光信号の送信が完了した際に、再度要求信号を電源基板１０に送信する。
【００５９】
ここで、何らかの理由により保持部１３に保持された制御パラメータの値が変化した場合や、照明制御装置ＣＴにより新たな制御パラメータが設定された場合、記憶部３６に登録された制御パラメータと保持部１３に保持された制御パラメータとの値が不一致となる。このため、通信制御部３５は、制御パラメータの値が一致しなかった場合は、記憶部３６に保持された制御パラメータの値を示す設定信号を生成し、新たな調光信号の送信が完了した際に、生成した設定信号を電源基板１０に送信する。なお、通信制御部３５は、制御パラメータが保持されていない旨を要求返信信号が示す場合も同様に、制御パラメータの値を示す設定信号を送信することとしてもよい。
【００６０】
このように、通信制御部３５は、調光信号が送信される度に、揮発性の記憶領域である保持部１３に保持された制御パラメータの値を確認する。そして、通信制御部３５は、不揮発性の記憶領域である記憶部３６に登録された制御パラメータと保持部１３に保持された制御パラメータとが一致しない場合は、記憶部３６に登録された制御パラメータの値を再度保持部１３に保持させる。すなわち、通信制御部３５は、保持部１３に保持された制御パラメータが変化した場合や消えてしまった場合、若しくは、照明制御装置ＣＴによって新たな制御パラメータの値が設定されている場合は、再度制御パラメータの値を設定する。
【００６１】
ここで、照明制御装置ＣＴが制御信号を定期的に送信する場合、通信制御部３５は、調光信号を定期的に電源基板１０に送信する。この結果、通信制御部３５は、定期的に保持部１３が保持する制御パラメータの値を確認することができるので、適切な照明制御を実現することができる。なお、調光信号を送信した後で制御パラメータの確認や更新を行った場合、事後的な確認や更新が行われることとなるが、制御信号ひいては調光信号が送信される周期は、例えば、２５ミリ秒と十分に短いので、実際の照明態様には、あまり大きな問題はない。
【００６２】
なお、通信制御部３５は、照明装置１００や電源基板１０の起動時等、電源基板１０に対する電力の供給が開示された場合は、調光信号の送信を待つことなく、記憶部３６に保持された設定情報を電源基板１０に送信し、保持部１３に保持させてもよい。すなわち、通信制御部３５は、電源基板１０の起動時は、調光信号の送信を待たずに設定信号を送信してもよい。
【００６３】
ここで、電源基板１０に障害が発生していた場合、要求信号や設定信号に対する応答が送信されない場合がある。そこで、通信制御部３５は、要求信号を送信してから所定の期間（例えば次の調光信号が送信されるまで）の間に要求応答信号を受信しなかった場合は、新たな調光信号が送信された後で再度要求信号を送信する。また、通信制御部３５は、設定信号を送信してから所定の期間（例えば次の調光信号が送信されるまで）の間に設定応答信号を受信しなかった場合は、新たな調光信号が送信された後で再度設定信号を送信する。すなわち、通信制御部３５は、電源基板１０が保持する設定情報の送信を要求する信号、または、電源基板１０に保持させる設定情報を送信する信号を送信してから所定の時間が経過するまでの間に、電源基板１０から応答を受信しなかった場合は、新たな調光信号の送信が完了した際に、信号の再送信を行う。
【００６４】
また、通信制御部３５は、照明制御装置ＣＴから制御信号を受信しなくなってから所定の期間が経過し、照明制御部３４が所定の調光信号を定期的に送信する場合にも、調光信号が送信される度に要求信号の送信を行う。
【００６５】
（照明装置が有する機能構成のバリエーション）
ここで、照明装置１００は、複数の電源基板と、各電源基板により制御される複数の光源部とを有していてもよい。例えば、図２は、実施形態に係る照明装置が有する機能構成のバリエーションを説明する図である。
【００６６】
図２に示す例では、照明装置１００は、複数の電源基板１０ａ、１０ｂと複数の光源部２０ａ、２０ｂを有する。電源基板１０ａは、電源基板１０と同様の機能構成を有し、光源部２０ａを制御する。また、電源基板１０ｂは、電源基板１０と同様の機能構成を有し、光源部２０ｂを制御する。なお、図２に示す例では、２つの電源基板１０ａ、１０ｂを有する例について記載したが、実施形態は、これに限定されるものではなく、照明装置１００は、任意の数の電源基板を有していてよい。
【００６７】
このように、複数の電源基板１０ａ、１０ｂを有する場合においてお、制御基板３０は、調光信号を送信してから新たな調光信号を送信するまでの間に、各電源基板１０ａ
１０ｂが不揮発性の記憶領域に保持する設定情報の確認や設定を行う。
【００６８】
例えば、照明制御部３４は、制御信号と対応する調光信号を生成し、シリアル通信路４０を介して、各電源基板１０ａ、１０ｂに対して一括で調光信号を送信する。一方、通信制御部３５は、調光信号の送信が完了してから、新たな調光信号が送信されるまでの間に、各電源基板１０ａ、１０ｂとの間で設定情報に関する通信を順番に実行する。
【００６９】
例えば、通信制御部３５は、調光信号の送信が完了した場合は、電源基板１０ａに対して要求信号を送信する。そして、通信制御部３５は、電源基板１０ａから要求応答信号を受信した場合は、電源基板１０ｂに対して要求信号を送信する。すなわち、通信制御部３５は、電源基板１０ａからの要求応答信号の受信を完了した後で、電源基板１０ｂに要求信号を送信する。
【００７０】
また、通信制御部３５は、各電源基板１０ａ、１０ｂから受信した制御パラメータの値と記憶部３６に登録された制御パラメータとの間が一致するか否かを判定する。そして、通信制御部３５は、各制御パラメータが一致しなかった場合は、新たな調光信号が送信された場合に、各電源基板１０ａ、１０ｂに対して、設定信号を送信する。
【００７１】
ここで、通信制御部３５は、複数の電源基板１０ａ、１０ｂのうち一部の電源基板の制御パラメータのみが記憶部３６に登録された制御パラメータと一致しなかった場合、一部の電源基板のみに対して設定信号を送信し、他の電源基板には要求信号を送信してもよい。また、通信制御部３５は、複数の電源基板１０ａ、１０ｂのうち一部の電源基板の制御パラメータのみが記憶部３６に登録された制御パラメータと一致しなかった場合に、全ての電源基板のみに対して設定信号を送信てもよい。
【００７２】
例えば、電源基板１０ａから受信した制御パラメータが記憶部３６に登録された制御パラメータと一致し、電源基板１０ｂから受信した制御パラメータが記憶部３６に登録された制御パラメータと一致しなかったものとする。このような場合、通信制御部３５は、新たな調光信号が送信された後で、電源基板１０ａに対して要求信号を送信し、電源基板１０ａから要求応答信号を受信した後で、電源基板１０ｂに対して設定信号を送信してもよい。また、通信制御部３５は、新たな調光信号が送信された後で、電源基板１０ａに対して設定信号を送信し、電源基板１０ａから設定応答信号を受信した後で、電源基板１０ｂに対して設定信号を送信してもよい。
【００７３】
すなわち、通信制御部３５は、照明装置１００が複数の電源基板を有していたとしても、調光信号を送信してから新たな調光信号を送信するまでの間に、各電源基板が不揮発性の記憶領域に保持する設定情報の確認や設定を行うことができるのであれば、任意の手法により、設定情報の確認や設定を行ってよい。
【００７４】
（制御処理の具体例）
次に、図３〜図１３を用いて、制御基板３０が要求信号や設定信号を送信するタイミングの一例について説明する。なお、図３〜図１３においては、照明制御装置ＣＴから制御信号を受信するタイミング、制御基板３０側のシリアル通信部３２から調光信号、要求信号、もしくは設定信号が出力されるタイミング、および電源基板１０側のシリアル通信部１１から要求応答信号、もしくは設定応答信号が出力されるタイミングの一例を記載した。
【００７５】
なお、以下の説明では、制御信号をＤＭＸ信号と記載し、設定情報の設定を行う信号をＲＤＭ信号と記載する。また、図３〜図１３においては、ＤＭＸ信号を「ＤＭＸ」と記載し、ＲＤＭ信号を「ＲＤＭ」と記載する。また、図３〜図１３においては、要求信号を「要求」と記載し、要求応答信号を「要求返信」と記載し、設定信号を「設定」と記載し、設定応答信号を「設定返信」と記載した。また、図３〜図１３においては、各信号の送受信が行われるタイミングをＴ１〜Ｔ４０といった期間に分けて記載したが、各期間は、例えば、２．５ミリ秒である。
【００７６】
まず、図３を用いて、通常時において制御基板３０が各信号を送受信するタイミングの一例を説明する。図３は、実施形態に係る制御基板が通常時に信号を送受信するタイミングの一例を示す図である。例えば、図３に示す例では、タイミングＴ１においてＤＭＸ信号の受信が完了する。このように、ＤＭＸ信号の受信が完了した場合は、制御基板３０は、タイミングＴ２からタイミングＴ３までの間、シリアル通信路４０を介して調光信号を電源基板１０に送信する。
【００７７】
また、制御基板３０は、タイミングＴ３で調光信号の送信が完了するため、タイミングＴ４において要求信号を送信する。そして、制御基板３０は、電源基板１０から、タイミングＴ５、Ｔ６において、要求返信信号を受信する。また、図３に示す例では、制御基板３０は、１０タイミングごとにＤＭＸ信号を受信する。そこで、制御基板３０は、ＤＭＸ信号の受信が完了する度に、調光信号の送信を行い、調光信号の送信を行う度に、要求信号の送信を行う。
【００７８】
次に、図４を用いて、通常時において制御基板３０が複数の電源基板１０ａ、１０ｂと各信号を送受信するタイミングの一例を説明する。図４は、実施形態に係る制御基板が通常時に複数の電源基板と信号を送受信するタイミングの一例を示す図である。例えば、図３に示す例では、タイミングＴ１においてＤＭＸ信号の受信が完了する。このように、ＤＭＸ信号の受信が完了した場合は、制御基板３０は、タイミングＴ２からタイミングＴ３までの間、シリアル通信路４０を介して調光信号を電源基板１０ａ、１０ｂに対して一括送信する。
【００７９】
また、制御基板３０は、タイミングＴ３で調光信号の送信が完了するため、タイミングＴ４において要求信号を送信する。より具体的には、制御基板３０は、タイミングＴ４において第１の電源基板１０ａに要求信号を送信し、タイミングＴ５、Ｔ６において、第１の電源基板１０ａから要求返信信号を受信する。このように、第１の電源基板１０ａから要求返信信号を受信した場合は、続くタイミングＴ７において、第２の電源基板１０ｂに要求信号を送信し、タイミングＴ８、Ｔ９において、第２の電源基板１０ｂから要求返信信号を受信する。なお、図４に示す例でも、制御基板３０は、１０タイミングごとにＤＭＸ信号を受信する。そこで、制御基板３０は、ＤＭＸ信号の受信が完了する度に、調光信号の一括送信を行い、調光信号の送信を行う度に、各電源基板１０ａ、１０ｂに対して順番に要求信号の送信を行う。
【００８０】
次に、図５を用いて、ＲＤＭを用いて設定情報が設定された場合に制御基板３０が各信号を送受信するタイミングの一例を説明する。図５は、実施形態に係る制御基板が設定情報の設定時に信号を送受信するタイミングの一例を示す図である。例えば、図５に示す例では、タイミングＴ１においてＤＭＸ信号の受信が完了する。そこで、制御基板３０は、タイミングＴ２からタイミングＴ３までの間、シリアル通信路４０を介して調光信号を電源基板１０に対して送信し、その後、タイミングＴ５、Ｔ６において、要求応答信号を受信する。
【００８１】
ここで、図５に示す例では、制御基板３０は、タイミングＴ３、Ｔ４において、制御パラメータ等の制御情報を設定するＲＤＭ信号を受信している。このような場合、制御基板３０は、記憶部３６に登録された制御パラメータを更新し、タイミングＴ５、Ｔ６において、ＲＤＭ信号に対する返信を送信する。しかしながら、制御基板３０は、記憶部３６に登録された制御パラメータを電源基板１０に対してすぐには送信せずに待機する。
【００８２】
続いて、図５に示す例では、制御基板３０は、タイミングＴ１３〜Ｔ２１にかけてＤＭＸ信号を受信する。このような場合、制御基板３０は、タイミングＴ２２、Ｔ２３にかけて調光信号を送信する。そして、制御基板３０は、タイミングＴ２４において、要求信号ではなく、新たな制御パラメータを電源基板１０に対して設定するための設定信号を送信する。その後、制御基板３０は、タイミングＴ２５において、設定応答信号を受信する。
【００８３】
その後、制御基板３０は、図４と同様に、通常時の動作に移行する。例えば、図５に示す例では、制御基板３０は、タイミングＴ２３〜Ｔ３１にかけてＤＭＸ信号を受信する。このような場合、制御基板３０は、タイミングＴ３２、Ｔ３３にかけて調光信号を送信する。そして、制御基板３０は、タイミングＴ３４において、設定信号ではなく、通常時と同様に、要求信号を送信し、タイミングＴ３５、Ｔ３６において、要求応答信号を受信する。
【００８４】
次に、図６を用いて、ＲＤＭを用いて設定情報が設定された場合に制御基板３０が複数の電源基板１０ａ、１０ｂと各信号を送受信するタイミングの一例を説明する。図６は、実施形態に係る制御基板が設定情報の設定時に複数の電源基板と信号を送受信するタイミングの一例を示す図である。例えば、図６に示す例では、制御基板３０は、タイミングＴ３、Ｔ４において、制御パラメータ等の制御情報を設定するＲＤＭ信号を受信している。
【００８５】
このような場合、制御基板３０は、記憶部３６に登録された制御パラメータを更新し、タイミングＴ５、Ｔ６において、ＲＤＭ信号に対する返信を送信する。また、制御基板３０は、タイミングＴ１３〜Ｔ２１にかけてＤＭＸ信号を受信する。このような場合、制御基板３０は、タイミングＴ２２、Ｔ２３にかけて調光信号を電源基板１０ａ、１０ｂに一括送信する。そして、制御基板３０は、タイミングＴ２４において、新たな制御パラメータを電源基板１０ａに対して設定するための設定信号を電源基板１０ａに送信し、タイミングＴ２５において、設定応答信号を電源基板１０ａから受信する。
【００８６】
また、制御基板３０は、タイミングＴ２６において、新たな制御パラメータを電源基板１０ｂに対して設定するための設定信号を電源基板１０ｂに送信し、タイミングＴ２７において、設定応答信号を電源基板１０ｂから受信する。その後、制御基板３０は、図４と同様に、通常時の動作に移行する。
【００８７】
次に、図７を用いて、電源投入時に制御基板３０が各信号を送受信するタイミングの一例を説明する。図７は、実施形態に係る制御基板が電源投入時に信号を送受信するタイミングの一例を示す図である。例えば、図７に示す例では、制御基板３０は、照明装置１００の電源が投入された場合は、ＤＭＸ信号の受信や調光信号の出力を待たずに、タイミングＴ１において要求信号を電源基板１０へと送信し、タイミングＴ２、Ｔ３において、要求応答信号を受信する。
【００８８】
そして、制御基板３０は、タイミングＴ４において、設定信号を送信し、タイミングＴ５において設定応答信号を受信する。ここで、制御基板３０は、タイミングＴ６、Ｔ７において、ＤＭＸ信号の送受信を行うための初期化処理を実行する。その後、制御基板３０は、図３と同様に、通常時の動作に移行する。
【００８９】
次に、図８を用いて、電源投入時に制御基板３０が複数の電源基板１０ａ、１０ｂと各信号を送受信するタイミングの一例を説明する。図８は、実施形態に係る制御基板が電源投入時に複数の電源基板と信号を送受信するタイミングの一例を示す図である。例えば、図８に示す例では、制御基板３０は、照明装置１００の電源が投入された場合は、ＤＭＸ信号の受信や調光信号の出力を待たずに、タイミングＴ１において要求信号を電源基板１０ａへと送信し、タイミングＴ２、Ｔ３において、要求応答信号を受信する。
【００９０】
そして、制御基板３０は、タイミングＴ４において、設定信号を電源基板１０ａへと送信し、タイミングＴ５において設定応答信号を受信する。続いて、制御基板３０は、タイミングＴ６において要求信号を電源基板１０ｂへと送信し、タイミングＴ７、Ｔ８において、要求応答信号を受信する。そして、制御基板３０は、タイミングＴ９において、設定信号を電源基板１０ｂへと送信し、タイミングＴ１０において設定応答信号を受信する。その後、制御基板３０は、タイミングＴ１１、Ｔ１２において、ＤＭＸ信号の送受信を行うための初期化処理を実行する。そして、制御基板３０は、図４と同様に、通常時の動作に移行する。
【００９１】
次に、図９を用いて、電源基板との間で要求信号のタイムアウトが発生した場合に制御基板３０が各信号を送受信するタイミングの一例を説明する。図９は、実施形態に係る制御基板が要求信号のタイムアウトが発生した場合に信号を送受信するタイミングの一例を示す図である。例えば、図９に示す例では、制御基板３０は、図３に示す際と同様に、ＤＭＸ信号の受信後、調光信号を出力し、調光信号の出力完了後に、要求信号を電源基板１０へと送信する。
【００９２】
ここで、図９に示す例では、タイミングＴ５〜タイミングＴ７の間、要求応答信号の送信が行われていない。このような場合、制御基板３０は、タイミングＴ８にて、タイムアウトが発生したと判定する。このようにタイムアウトが発生した場合、制御基板３０は、次の調光信号を送信するまで待機し、次の調光信号の送信完了後に改めて要求信号を送信する。図９に示す場合、制御基板３０は、タイミングＴ１４にて送信した要求信号に対し、要求応答信号を電源基板１０から受信している。このような場合、制御基板３０は、図３と同様に、通常時の動作に移行する。
【００９３】
一方、制御基板３０は、タイミングＴ１４にて送信した要求信号に対し、要求応答信号が受信されなかった場合は、再度新たな調光信号の送信完了後に要求信号を送信する。そして、制御基板３０は、所定の回数（例えば、３回）、要求応答信号の受信がタイムアウトした場合は、照明制御装置ＣＴに対し、電源基板１０からの応答がない旨の警告通知を送信する。この結果、照明制御装置ＣＴを操作するオペレータは、照明装置１００の電源基板１０に障害が生じた旨を認識することができる。
【００９４】
次に、図１０を用いて、電源基板との間で設定信号のタイムアウトが発生した場合に制御基板３０が各信号を送受信するタイミングの一例を説明する。図１０は、実施形態に係る制御基板が設定信号のタイムアウトが発生した場合に信号を送受信するタイミングの一例を示す図である。例えば、図１０に示す例では、図５に示す例と同様に、タイミングＴ３、Ｔ４にてＲＤＭ信号による設定情報の設定が行われている。このような場合、制御基板３０は、タイミングＴ２２において新たに送信される調光信号の送信完了後に、設定信号の送信を行う。
【００９５】
ここで、図１０に示す例では、タイミングＴ２５〜タイミングＴ２７の間、設定応答信号の送信が行われていない。このような場合、制御基板３０は、タイミングＴ２８にて、タイムアウトが発生したと判定する。このようにタイムアウトが発生した場合、制御基板３０は、次の調光信号を送信するまで待機し、次の調光信号の送信完了後に改めて設定信号を送信する。図１０に示す場合、制御基板３０は、タイミングＴ２４にて送信した要求信号に対し、要求応答信号を電源基板１０から受信している。このような場合、制御基板３０は、図３と同様に、通常時の動作に移行する。すなわち、制御基板３０は、調光信号の送信完了後に、要求信号の送信を行う。
【００９６】
一方、制御基板３０は、タイミングＴ２４にて送信した設定信号に対し、設定応答信号が受信されなかった場合は、再度新たな調光信号の送信完了後に設定信号を送信する。そして、制御基板３０は、所定の回数（例えば、３回）、設定応答信号の受信がタイムアウトした場合は、照明制御装置ＣＴに対し、電源基板１０からの応答がない旨の警告通知を送信する。
【００９７】
次に、図１１を用いて、複数の電源基板１０ａ、１０ｂとの間で要求信号のタイムアウトが発生した場合に制御基板３０が各信号を送受信するタイミングの一例を説明する。図１１は、実施形態に係る制御基板が複数の電源基板と通信する際に要求信号のタイムアウトが発生した場合に信号を送受信するタイミングの一例を示す図である。
【００９８】
例えば、図１１に示す例では、制御基板３０は、ＤＭＸ信号の受信後、調光信号を各電源基板１０ａ、１０ｂに一括送信する。そして、制御基板３０は、調光信号の出力完了後に、要求信号を電源基板１０ａへと送信する。ここで、図１１に示す例では、タイミングＴ５〜タイミングＴ７の間、要求応答信号の送信が行われていない。このような場合、制御基板３０は、タイミングＴ８にて、電源基板１０ａとの通信にタイムアウトが発生したと判定する。
【００９９】
このように電源基板１０ａとの通信にタイムアウトが発生した場合、制御基板３０は、要求信号を電源基板１０ｂへと送信する。ここで、図１１に示す例では、タイミングＴ９〜タイミングＴ１１の間、要求応答信号の送信が行われていない。このような場合、制御基板３０は、タイミングＴ１２にて、電源基板１０ｂとの通信にタイムアウトが発生したと判定する。
【０１００】
一方で、制御基板３０は、タイミングＴ１１においてＤＭＸ信号の受信を完了している。しかしながら、タイミングＴ１１の時点では、電源基板１０ｂとの通信がタイムアウトしていない。このような場合、制御基板３０は、ＤＭＸ信号の受信を完了したとしても、調光信号の送信を行わず、応答の受信若しくはタイムアウトの発生を待機する。すなわち、制御基板３０は、ＤＭＸ信号の受信が完了したとしても、いずれかの電源基板から応答を受信していない、もしくは、いずれかの電源基板との通信がタイムアウトしていない場合は、調光信号の送信を行わずに待機する。
【０１０１】
ここで、制御基板３０は、タイミングＴ１３〜Ｔ２１にかけて、新たなＤＭＸ信号を受信する。このような場合、制御基板３０は、タイミングＴ２２にて、調光信号を送信し、調光信号の送信完了後、各電源基板１０ａ、１０ｂに対して個別に要求信号を送信する。図１１に示す例では、制御基板３０は、タイミングＴ２５、Ｔ２６において電源基板１０ａから要求応答信号を受信し、タイミングＴ２８、Ｔ２９において電源基板１０ｂから要求応答信号を受信している。このような場合、制御基板３０は、図４に示すように、通常時の動作に移行する。
【０１０２】
なお、制御基板３０は、いずれかの電源基板、もしくは全ての電源基板との通信が連続してタイムアウトとなった場合、照明制御装置ＣＴに対し、タイムアウトが連続した電源基板１０からの応答がない旨の警告通知を送信してもよい。また、制御基板３０は、全ての電源基板から要求応答信号を受信するまで、継続的に各電源基板に要求信号を送信してもよい。
【０１０３】
次に、図１２を用いて、複数の電源基板１０ａ、１０ｂとの間で設定信号のタイムアウトが発生した場合に制御基板３０が各信号を送受信するタイミングの一例を説明する。図１２は、実施形態に係る制御基板が複数の電源基板と通信する際に設定信号のタイムアウトが発生した場合に信号を送受信するタイミングの一例を示す図である。
【０１０４】
例えば、図１２に示す例では、制御基板３０は、タイミングＴ３において送信が完了した調光信号に続き、各電源基板１０ａ、１０ｂへと順に要求信号を送信する。ここで、図１２に示す例では、タイミングＴ３、Ｔ４においてＲＤＭ信号により新たな設定情報が設定されている。このような場合、制御基板３０は、新たな調光信号の送信完了後（例えば、タイミングＴ２４）に、各電源基板１０ａへと設定信号を送信する。
【０１０５】
ここで、図１２に示す例では、タイミングＴ２５〜タイミングＴ２７の間、設定応答信号の送信が行われていない。このような場合、制御基板３０は、タイミングＴ２８にて、電源基板１０ａとの通信にタイムアウトが発生したと判定する。このように電源基板１０ａとの通信にタイムアウトが発生した場合、制御基板３０は、設定信号を電源基板１０ｂへと送信する。そして、制御基板３０は、タイミングＴ３２において設定応答信号を受信していない場合、電源基板１０ｂとの通信がタイムアウトしたと判定する。
【０１０６】
ここで、制御基板３０は、タイミングＴ３１においてＤＭＸ信号の受信を完了している。しかしながら、タイミングＴ３１の時点では、電源基板１０ｂとの通信がタイムアウトしていない。このような場合、制御基板３０は、ＤＭＸ信号の受信を完了したとしても、調光信号の送信を行わず、応答の受信若しくはタイムアウトの発生を待機する。
【０１０７】
なお、制御基板３０は、いずれかの電源基板、もしくは全ての電源基板との通信が連続してタイムアウトとなった場合、照明制御装置ＣＴに対し、タイムアウトが連続した電源基板１０からの応答がない旨の警告通知を送信してもよい。また、制御基板３０は、全ての電源基板から設定応答信号を受信するまで、継続的に各電源基板に設定信号を送信してもよい。また、制御基板３０は、設定応答信号を送信した電源基板に対しては、新たな調光信号の送信完了後に要求信号を送信し、タイムアウトとなった電源基板に対してのみ、設定信号を送信してもよい。例えば、制御基板３０は、電源基板１０ｂとの通信のみがタイムアウトした場合、新たな調光信号の送信完了後に、電源基板１０ａに要求信号を送信し、電源基板１０ａから要求応答信号を受信後、電源基板１０ｂに設定信号を送信してもよい。
【０１０８】
次に、図１３を用いて、制御信号の受信が途切れた場合に制御基板３０が各信号を送受信するタイミングの一例を説明する。図１３は、実施形態に係る制御基板が制御信号が途切れた場合に信号を送受信するタイミングの一例を示す図である。例えば、図１３に示す例では、制御基板３０は、通常時と動作と同様に、ＤＭＸ信号の受信完了後に調光信号を送信し、調光信号の送信完了後に、要求信号の送信を行う。
【０１０９】
ここで、タイミングＴ１以降において、ＤＭＸ信号の受信が所定の期間（例えば、１秒）行われなかったものとする。このような場合、制御基板３０は、光源を所定の点灯強度で点灯させるための調光信号を定期的（例えば、２５ミリ秒間隔）に送信するとともに、調光信号の送信完了後に、要求信号の送信を行う。この結果、制御基板３０は、例えば、災害発生時に照明装置１００を所定の照明態様で点灯させることができる。
【０１１０】
（設定情報について）
なお、上述した例では、制御基板３０は、電源基板１０が揮発性の記憶領域に保持した制御パラメータの値を保つため、調光信号を送信する度に制御パラメータの値の送信要求や設定要求を送信した。しかしながら、実施形態は、これに限定されるものではない。例えば、電源基板１０は、機器情報やその他電源基板１０が保持すべき情報（例えば、電力制御に関する各種のパラメータ等）等、電源基板１０が揮発性の記憶領域に保持した情報を設定情報とし、設定情報を保持するための各種任意の通信を調光信号と新たな調光信号との間で実行するのであれば、任意の情報を設定情報として採用して良い。
【０１１１】
（その他）
なお、上述した制御基板３０は、ＣＰＵとＲＡＭ、ＥＥＰＲＯＭ（Electrically  Erasable  Programmable  Read-Only  Memory）、フラッシュメモリなどを有するコンピュータが、所定の記録媒体に登録された制御プログラムを読み取り、読み取った制御プログラムを実行することにより、実現されてもよい。
【０１１２】
以上、本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。また、これらの実施形態は、処理内容を矛盾させない範囲で適宜組み合わせることが可能である。
【符号の説明】
【０１１３】
１０、１０ａ、１０ｂ  電源基板
１１  シリアル通信部
１２  電力制御部
１３  保持部
２０、２０ａ、２０ｂ  光源部
３０  制御基板
３１  ＤＭＸ通信部
３２  シリアル通信部
３３  制御部
３４  照明制御部
３５  通信制御部
３６  記憶部
４０  シリアル通信路
１００  照明装置
ＣＴ  照明制御装置
ＣＰ  系統電源
【図１】
2019175580.tif 000003
【図２】
2019175580.tif 000004
【図３】
2019175580.tif 000005
【図４】
2019175580.tif 000006
【図５】
2019175580.tif 000007
【図６】
2019175580.tif 000008
【図７】
2019175580.tif 000009
【図８】
2019175580.tif 000010
【図９】
2019175580.tif 000011
【図１０】
2019175580.tif 000012
【図１１】
2019175580.tif 000013
【図１２】
2019175580.tif 000014
【図１３】
2019175580.tif 000015